(57)【特許請求の範囲】
【請求項１】
耐火スクリーンに避難扉を開閉自在に設け、該避難扉を前記耐火スクリーンに重ね合わせて上方で接合して閉じ、避難扉の開口が三角形状となるようにした防火防煙シャッターにおいて、前記耐火スクリーンの下部には重りとなる長尺座板部が形成され、前記避難扉の下部には複数の子短尺部材を蝶番で連結する重りとなる短尺部材部が形成され、該短尺部材部は前記避難扉の回動軸側が前記長尺座板部に蝶番により回動自在で固定されていることを特徴とする防火防煙シャッター。
【請求項２】
前記蝶番が斜め蝶番であり、該斜め蝶番の蝶番軸は前記回動軸の回動支点方向に向けられていることを特徴とする請求項１記載の防火防煙シャッター。
【請求項３】
前記斜め蝶番が、バネ付き蝶番であることを特徴とする請求項２記載の防火防煙シャッター。
【請求項４】
更に、前記耐火スクリーン及び前記避難扉には該耐火スクリーンと該避難扉を固着する面ファスナーを設けたことを特徴とする請求項１〜３のいずれか１記載の防火防煙シャッター。
【請求項５】
前記避難扉側の面ファスナーの取付位置は、前記避難扉が開閉する際、最高速度となる部位及びその近傍である請求項４記載の防火防煙シャッター。
【請求項６】
前記複数の子短尺部材の開閉側の前方端には、それぞれ面ファスナーを設けたことを特徴とする請求項１記載の防火防煙シャッター。
【発明の詳細な説明】
【０００１】
【発明の属する技術分野】
本発明は、ガラス繊維等の耐火スクリーンに避難扉を設け、人が容易に通過でき、且つ火災の延焼や煙の拡散を防止することができる防火防煙シャッターに関する。
【０００２】
【従来の技術】
従来の防火防煙シャッターとして、特開平１０−３３７０５号公報による防火区画用スクリーン装置が知られている。この防火区画用スクリーン装置は、図１０に示すように、天井や梁下から垂下して設置され、建物の内部空間を遮蔽する不燃あるいは耐火スクリーン５０があり、この耐火スクリーン５０には垂直方向に下端まで達して形成された１つのスリット部５１があり、そこで耐火スクリーン５０が左右に分けられている。耐火スクリーン５０の下端には、スリット部５１の左右の所定長さ部分を除き、メインウエイトバー５２、５３が水平方向に取り付けられている。そして、この耐火スクリーン５０下端におけるスリット部５１の左右の所定長さ部分には、左右に独立したサブウエイトバー５４、５５が水平に取り付けられている。
【０００３】
従って、この防火区画用スクリーン装置によれば、避難する人が手でスリット部５１を容易に押し広げることができ、避難した後はサブウエイトバー５４、５５の重力により、スリット部５１が耐火スクリーン５０下端におけるスリット部５１の左右の所定長さ部分に戻り、スリット部５１が閉じ、以後は火災の延焼や煙の拡散を防止することができるものである。
【０００４】
【発明が解決しようとする課題】
しかしながら、上記防火区画用スクリーン装置のサブウエイトバー５４、５５は角材又は丸棒材であって、スクリーンの下端に取付られているのみでメインウエイトバーとは接合されていないため、人が手でスリット部５１を押し広げて避難する際、意外と開け難く通りにくい。また、避難する人に続いて避難する場合、閉じようとするサブウエイトバーの戻り力で続いて避難する人の足を打撃し、怪我をさせる場合がある。また、上記防火区画用スクリーン装置を再現した実験によれば、火災によって発生する風圧により、サブウエイトバー５４、５５の重力だけでは、スリット部５１を閉鎖状態に保つことは困難であり、延焼や煙の拡散を防止することが難しい。更に、上記公報にはメインウエイトバー５２、５３とサブウエイトバー５４、５５とを永久磁石の磁力で引き合うようにする記載もあるが、これも実験によると、火災時における高温状況において、永久磁石はその磁力が急速に低下し、やはりスリット部５１を閉鎖状態に保つことは困難であり、延焼や煙の拡散を防止することが難しいという問題がある。また、防火防煙シャッターには、火災時に想定される、例えば柱が倒れかかってきた場合等の建築材料の倒壊等に起因する物理的な衝撃に耐える強度が必要とされるが、この点に関しても永久磁石を用いた構造では問題がある。また、避難扉から人が避難する際、開口が大きく開いて容易に通過でき、避難扉が閉じる際には素早く確実に閉じる防火防煙シャッターが望まれていた。
【０００５】
従って、本発明の目的は、避難する人が通りやすい開口を有して容易に避難でき、且つ避難後は素早く閉じて火災の延焼や煙の拡散を確実に防止することができる防火防煙シャッターを提供することにある。
【０００６】
【課題を解決するための手段】
かかる実情において、本発明者らは鋭意検討を行った結果、耐火スクリーンに重力により避難扉を重ね合わせて上方で接合して閉じ、避難扉の開口が三角形状となるようにした構造にし、耐火スクリーンの下部には重りとなる長尺座板部を形成し、避難扉の下部に取付られた重りとなる短尺部材を避難扉の回動軸側の長尺座板部に斜め蝶番により回動自在で固定すれば、避難扉は回動軸を中心として極めて円滑な開閉ができることを見出し、本発明を完成するに至った。
【０００７】
【０００８】
すなわち、請求項１の発明は、耐火スクリーンに避難扉を開閉自在に設け、該避難扉を前記耐火スクリーンに重ね合わせて上方で接合して閉じ、避難扉の開口が三角形状となるようにした防火防煙シャッターにおいて、前記耐火スクリーンの下部には重りとなる長尺座板部が形成され、前記避難扉の下部には複数の子短尺部材を蝶番で連結する重りとなる短尺部材部が形成され、該短尺部材部は前記避難扉の回動軸側が前記長尺座板部に蝶番により回動自在で固定されていることを特徴とする防火防煙シャッター提供される。かかる構成を採ることにより、避難扉は前記とほぼ同様の円滑な動きに加え、子短尺部材を連接する複数の蝶番の動きにより、回動する避難扉の先端程開口が大きくなり、更に通り易くなる。
【０００９】
また、請求項２の発明は、前記蝶番が斜め蝶番であり、該斜め蝶番の蝶番軸は前記回動軸の回動支点方向に向けられていることを特徴とする請求項１記載の防火防煙シャッターが提供される。かかる構成を採ることにより、避難扉は前記と同様の円滑な動きとなる。
【００１０】
また、請求項３の発明は、前記斜め蝶番が、バネ付き蝶番であることを特徴とする請求項２記載の防火防煙シャッターが提供される。かかる構成を採ることにより、避難扉を通過し避難した後はバネ蝶番のバネ付勢力により素早く閉じる。また、より高い圧力差の存在下でも避難扉が確実に閉鎖するようになる。
【００１１】
また、請求項４の発明は、更に、前記耐火スクリーン及び前記避難扉には該耐火スクリーンと該避難扉を固着する面ファスナーを設けたことを特徴とする請求項１〜３の防火防煙シャッターが提供される。かかる構成を採ることにより、避難扉が閉じて耐火スクリーンに重なり合う際、面ファスナーにより確実に固着して、火災による風圧によっては開くことがない。
【００１２】
また、請求項５の発明は、前記避難扉側の面ファスナーの取付位置は、前記避難扉が開閉する際、最高速度となる部位及びその近傍である請求項４記載の防火防煙シャッターが提供される。かかる構成を採ることにより、避難扉が重力により耐火スクリーンに重なる際、避難扉の自重及び短尺部材の重りの重さの最大力が面ファスナーにかかり、避難扉と耐火スクリーンとが最も強く固着する。
【００１３】
また、請求項６の発明は、前記複数の子短尺部材の開閉側の前方端には、それぞれ面ファスナーを設けたことを特徴とする請求項１記載の防火防煙シャッターが提供される。かかる構成を採ることにより、避難扉の子短尺部材が撓みの反力又はバネの付勢により耐火スクリーンに重なる際、より確実で且つ強固に固着する。
【００１４】
【発明の実施の形態】
次に、本発明の実施の形態である防火防煙シャッターについて図１〜図９に基づいて詳述する。図１は本発明の実施の形態である防火防煙シャッターを示す斜視図、図２は本発明の実施の形態である防火防煙シャッターの設置状態を示す横断面図、図３は本発明の実施の形態である防火防煙シャッターを構成する避難扉下部の断面図である。図において、防火防煙シャッター１は、天井や梁下に設置され、自重により天井や梁下から垂下して建物の内部空間を遮蔽し、図示しない巻取装置により巻き上げ、巻き下げられるものである。防火防煙シャッター１は、耐火スクリーン２に避難扉３を開閉自在に設け、この避難扉３を耐火スクリーン２に重ね合わせて上方で接合して閉じるようにしてあり、耐火スクリーン２及び避難扉３にはこれらを固着する面ファスナー４が付設されている。
【００１５】
前記耐火スクリーン２は、ガラス繊維の織布やシリカクロス等の不燃・耐火材料により構成され、固定スクリーン１０と可動スクリーン１１とに分かれ、それらの端部が重なり合っている。この固定スクリーン１０の下部には、重りである長尺座板１２及び短尺座板１３が固定スクリーン１０の下部を挟んだ状態で、ボルト１８ａにより取り付けられている。数m の幅を有する可動スクリーン１１の下部の面ファスナー４側の、例えば８０〜１００cmの所定長さ部分には重りである例えばアクリル樹脂製の短尺部材１４が可動スクリーン１１にボルト１８ｂにより取り付けられ、短尺部材１４を除いた部分には重りである上記の長尺座板１２及び短尺座板１５（長尺座板１２及び短尺座板１５を併せて「長尺座板部」と定義する。）が可動スクリーン１１の下部を挟んだ状態で、ボルト１８ｃにより取り付けられている。また、短尺部材１４は避難扉の回動軸側において短尺座板１５（長尺座板部）にバネ１９１付き斜め蝶番１９で回動自在に取付けられている。従って、可動スクリーン１１の下部の短尺部材１４側は長尺座板１２にバネ付き斜め蝶番１９で取付けられているから可動自在であり、これにより耐火スクリーン２には片開き式の開口が三角形状の避難扉３が形成される。また、斜め蝶番１９の蝶番軸は回動軸１６の回動支点Ｘ方向に向けられている。このため、略直角三角形状の避難扉３が三角形の斜辺となる回動軸１６を中心軸として回動する動き方向と、水平方向に保持される長尺座板部１２Ａに固定され、三角形の底辺となる短尺部材１４の動き方向が一致するため避難扉３の開閉は極めて円滑な動きとなる。なお、長尺座板１２、短尺部材１４及び短尺座板１３、１５は、火災時に設置場所である天井や梁下から耐火スクリーン２を垂下させるのに充分な重量があることが必要である。また、長尺座板１２、短尺部材１４及び短尺座板１３、１５の代わりに、固定スクリーン１０及び可動スクリーン１１の下部を袋状にして鉄粉や砂等を収納させてもよく、チェーンや部分的に重りを付けてもよい。また、長尺座板１２及び短尺座板１３、１５は上記のボルト締め以外に、これらを一体化して長尺座板部を形成してもよい。
【００１６】
この避難扉３は、可動スクリーン１１の一部をなすものであり、折り目１６が付けられ、且つ斜め蝶番を使用することで、開閉し易くなっている。この避難扉３と、耐火スクリーン２の固定スクリーン１０との間には、面ファスナー４が取り付けられ、避難扉３が開閉自在となっている。この面ファスナー４はオスとメスとがあり、図３では、避難扉３側の面ファスナー４ａがオスであるから、固定スクリーン１０側にはメスの面ファスナー４ｂがフラットバー１７を介して取り付けられていることになる（図３中、ボルトは省略）。なお、この面ファスナー４のオス、メスは、逆に取り付けても特に支障はない。そして、この面ファスナー４はステンレス製であり、例えば、ＳＵＳ３０４、ＳＵＳ３１６等である。面ファスナー４をステンレス製にすることにより、耐火性に優れ、且つ温度が上昇すると永久磁石とは反対に固着力が向上する点で好ましい。火災が進行し温度が上昇すると風圧が上昇するから、温度上昇によりステンレス製の面ファスナー４の固着力が向上することは、固定スクリーン１０から避難扉３が開きにくくなる方向に作用して、防火防煙の点で極めて都合がよい。ステンレス製の面ファスナー４の温度上昇により固着力が向上する度合は、７００℃で３０％、９２５℃で４６％になる。これは、ステンレス材が高温度に晒されることにより、変質しその強度が増すためであると考えられる。なお、面ファスナー４の固着力が向上して避難扉３が開きにくくなったとしても、面ファスナー４が剥がれない訳ではない。また、避難扉３が利用されるのは火災初期であり、ステンレス製の面ファスナー４が変質して固着力を増すような高温時では防火防煙が問題となることからしても高温になるにつれて固着力が向上することは好ましい。なお、図３中、固定スクリーン１０の下部が袋状になっているのは、床面との隙間を無くし、煙が漏れないようにするためである。
【００１７】
また、この面ファスナー４は、ステンレス製ファスナーと、樹脂製ファスナーとを併用しても良い。すなわち、ステンレス製ファスナーは温度上昇により固着力が向上して都合がよいが、逆に繰り返し使用による固着力低下の不都合がある一方、樹脂製ファスナーは繰り返し使用による固着力低下が低く都合が良いが、温度に弱い。従って、図５に示すように、例えば、固定スクリーン１０の上の面ファスナー５をステンレス製面ファスナーとし、下の面ファスナー６を樹脂製面ファスナーとして併用すれば、双方の利点を利用できる。また、この面ファスナー４は、ステンレス製面ファスナーと樹脂製面ファスナーとを水平方向に並べて配置してもよく、ステンレス製面ファスナーと磁石とを併用してもよい。その理由は樹脂製面ファスナーと同様である。また、面ファスナー４ａの上下方向の幅に比較して、面ファスナー４ｂの上下方向の幅を大きくした場合、避難扉３にガタつきが発生し、その閉鎖の際の上下方向に振れてもいずれかの面ファスナー４ａ、４ｂの固着を確実に行え、避難扉３を閉鎖状態にできる。
【００１８】
そして、上記の通り詳述した面ファスナー４並びに短尺部材１４は、避難扉３にこれが開閉する際、最高速度となる部位及びその近傍に位置して設けられる。すなわち、図１に示す片開き式の避難扉３では、折り目１６及びバネ付き斜め蝶番１９の蝶番軸を回動軸として開閉するから、この折り目１６から最も離れた位置Ａが最高速度となる部位になり、図２、図４に示す位置Ａ及びその近傍に面ファスナー４及び面ファスナー４を支持する短尺部材１４が取り付けられる。従って、この避難扉３が、折り目１６を回動中心として短尺部材１４の重みやバネ蝶番のバネの付勢力により矢印Ｂ方向に作用力が働き、耐火スクリーン２に重なる際、避難扉３及び短尺座板１４の自重が有する最大の慣性モーメントが面ファスナー４にかかり、避難扉３と耐火スクリーン２とが最も強く固着する。なお、面ファスナー４の固着力は、面ファスナー４にかかる押圧力に略比例する。
【００１９】
次に、上記構成を採る防火防煙シャッター１の使用方法を説明する。
まず、建物の内部空間を遮蔽する位置の天井や梁下に防火防煙シャッター１を設置する。耐火スクリーン２は火災が発生すると図示しない巻取装置のロック状態が自動あるいは手動で解除され、自重により設置場所の天井や梁下から垂下して建物の内部空間を遮蔽する。この状態では耐火スクリーン２に避難扉３が固着して、閉鎖状態にあるから、火炎や煙を遮蔽している。避難者は避難扉３のスクリーン部に体ごと当たり面ファスナー４を剥がし開くか、あるいは手で避難扉３のスクリーン部を押して面ファスナー４を剥がしてから避難扉３を開いて、通過し避難する。この場合、扉の開口は避難扉の下部に取付けられた短尺部材１４の重みと、短尺部材１４を回動自在に固定するバネ付き斜め蝶番１９によりスクリーンが突っ張ることがなく、開口が極めて円滑に行われ通過が容易となる。避難直後、避難扉３は図４の状態になっているから、短尺部材の重み及びバネ付き斜め蝶番１９のバネ１９１の付勢力により素早く且つ確実に図１のように移動して、固定スクリーン１０側の面ファスナー４ｂに当たり、その時の慣性モーメントにより固着し、以後避難扉３が閉鎖状態となり、火炎や煙が遮蔽される。再び避難者が避難する場合も上記と同様に作用する。そして、火災が進行し温度上昇があると、ステンレス製の面ファスナー４はその固着力を増し、風圧が上昇しても避難扉３が閉鎖状態を維持し、火炎や煙を良く遮蔽することができ、その時点で仮に避難者がいても、避難扉３を開けることができるから避難できる。火災が鎮火したあと、建物全体の被害も含めて防火防煙シャッター１の被害が少ない状態であれば、防火防煙シャッター１を再び使用できる。
【００２０】
図６は可動スクリーン１１の避難扉３における他の実施形態である短尺部材１４ａを示すもので、避難扉３の下部を袋状物２１とし、袋状物２１に短尺状アルミニウム鋼板１４Ａを入れ、固定する一端を短尺座板１５（長尺座板部）に蝶番軸１９２が回動軸１６と同軸となるようにバネ１９１付き斜め蝶番１９で固定する。また、避難扉３の下部の袋状物２１の裏面で回動先端側の当接面には面ファスナー４ａを取付ける。これにより、可動スクリーン１１と短尺部材１４ａの回動軸が一致し、短尺部材１４ａは矢線Ｃ方向に極めて円滑に動いて避難者が通りやすくなり、避難扉３が戻る時は短尺部材１４ａは矢線Ｄ方向にバネ１９１付き斜め蝶番１９のバネ付勢力で素早く戻るため、避難扉３は耐火スクリーン２に確実に固着される。
【００２１】
図７は可動スクリーン１１の避難扉３における他の実施形態である短尺部材１４ｂを示すもので、図６と異なる点は、避難扉３の下部を袋状物とせず、スクリーン部に直に接合した点にある。すなわち、短尺状アルミニウム鋼板１４Ａは、固定する一端を短尺座板１５（長尺座板部）に蝶番軸１９２が回動軸１６と同軸となるようにバネ１９１付き斜め蝶番１９で固定する。また、短尺状アルミニウム鋼板１４Ａの避難扉３の下部への接合は図３と略同様であり、可動スクリーンの表側（避難側）に短尺状アルミニウム鋼板１４Ａを、裏側（火災側）は表面から面ファスナー４ａと鉄板（フラットバー）１７ａをこの順で、又は鉄板１７ａのみをビス２２で留める。これにより、図６の実施形態と同様の効果を奏する。図中、３か所の固定位置のひとつのみが面ファスナー４ａを備えるが、これに限定されず、残りの１箇所又は２箇所にも面ファスナー４ａを設置してもよい。
【００２２】
図８及び図９は可動スクリーン１１の避難扉３における他の実施形態である短尺部材１４ｃを示し、本実施形態例では短尺部材部１４ｃという。短尺部材部１４ｃは子短尺部材である分割された３個のアクリル樹脂板１４１ａ、１４１ｂ、１４１ｃを互いにバネ付き蝶番１９ｂ、１９ｃで連接して３個のアクリル樹脂板１４１ａ、１４１ｂ、１４１ｃをそれぞれ、ボルト１８ｂで避難扉３の下部に固定し、避難扉３の回動軸側のアクリル樹脂板１４１ｃを短尺座板１５（長尺座板部）にバネ付き斜め蝶番１９ａで固定する。アクリル樹脂板１４１ａは矩形状物の長手方向の一辺をやや切り欠き、該一辺が設置状態で扉の回動支点Ｘ（図１参照）を向くように加工する。アクリル樹脂板１４１ｂ及び１４１ｃは矩形状物の長手方向の二辺をやや切り欠き、該二辺が設置状態でそれぞれ扉の回動支点Ｘ（図１参照）を向くように加工する。また、バネ付き蝶番１９ｂ、１９ｃ、１９ａのそれぞれの蝶番軸を扉の回動支点Ｘ（図１参照）を向くように設置する。これにより、柔軟な可動スクリーン１１には３つの回動軸１６、１６ａ、１６ｂができ、あたかも３つの扉３ａ、３ｂ、３ｃが形成されたようになる。このため、可動スクリーン１１と子短尺部材の回動軸が一致し、短尺部材１４ａは矢線Ｃ方向に極めて円滑に動くと共に、子短尺部材を連接する複数の蝶番の動きにより、回動する避難扉の先端程開口が大きくなり、更に通り易くなる。また、避難する人に続いて避難する場合、避難扉の閉じようとする戻り力で続いて避難する人の足を打撃しても、子短尺部材が小さく軽く動きやすいため避難者を傷つけることがない。また、避難扉３が戻る時は短尺部材１４ｃは矢線Ｄ方向に複数のバネ１９１付き斜め蝶番１９のバネ付勢力で素早く戻るため、避難扉３は耐火スクリーン２に確実に固着される。また、図８及び図９において、１箇所又は複数箇所に面ファスナーを取付てもよい（不図示）。特に、複数の子短尺部材の開閉側の前方端に、各々面ファスナーを取付ると、面ファスナーによる固着を確実に行うことができる。これは避難扉の開閉の際、子短尺部材の開閉側の前方端が、他部に比して高速度となるからである。
【００２３】
【発明の効果】
請求項１の発明によれば、略直角三角形状の避難扉が三角形の斜辺となる回動軸を中心軸として回動する動き方向と、水平方向に保持される長尺座板部に一端が固定され三角形の底辺となる短尺部材の動き方向とが一体となるため、人が避難扉を開ける際、避難扉は極めて円滑が動きで開き、通り易くなる。また、子短尺部材を連接する複数の蝶番の動きにより、回動する避難扉の先端程開口が大きくなり、更に通り易くなる。
【００２５】
請求項２の発明によれば、避難扉は前記と同様の円滑な動きとなる。
【００２６】
請求項３の発明によれば、避難扉を通過し避難した後はバネ蝶番のバネ付勢力により素早く閉じる。また、より高い圧力差の存在下でも避難扉が確実に閉鎖するようになる。
【００２７】
請求項４の発明によれば、避難扉が閉じて耐火スクリーンに重なり合う際、面ファスナーにより確実に固着して、火災による風圧によっては開くことがない。
【００２８】
請求項５の発明によれば、避難扉が重力により耐火スクリーンに重なる際、避難扉の自重及び短尺部材の重りの重さの最大力が面ファスナーにかかり、避難扉と耐火スクリーンとが最も強く固着する。
【００２９】
請求項６の発明によれば、避難扉の子短尺部材が撓みの反力又はバネの付勢により耐火スクリーンに重なる際、より確実で且つ強固に固着する。
【図面の簡単な説明】
【図１】本発明の実施の形態である防火防煙シャッターを示す斜視図である。
【図２】本発明の実施の形態である防火防煙シャッターの設置状態を示す横断面図である。
【図３】本発明の実施の形態である防火防煙シャッターを構成する避難扉下部の断面図である。
【図４】本発明の実施の形態である防火防煙シャッターの使用状態を示す斜視図である。
【図５】図１の防火防煙シャッターを構成する他の実施の形態の面ファスナーの斜視図である。
【図６】図１の防火防煙シャッターを構成する他の実施の形態の短尺座板の斜視図である。
【図７】図１の防火防煙シャッターを構成する他の実施の形態の短尺座板の斜視図である。
【図８】図１の防火防煙シャッターを構成する他の実施の形態の短尺座板の斜視図である。
【図９】図８の防火防煙シャッターの設置状態を示す横断面図である。
【図１０】従来例を示す斜視図である。
【符号の説明】
１                    防火防煙シャッター
２、５０              耐火スクリーン
３                    避難扉
４、４ａ、４ｂ        面ファスナー
１０                  固定スクリーン
１１                  可動スクリーン
１２                  長尺座板
１３、１５            短尺座板
１４、１４ａ、１４ｂ  短尺部材
１４ｃ                短尺部材部
１６                  折り目
１７                  フラットバー
１８ａ〜１８ｃ        ボルト
１９、１９ａ〜１９ｃ  バネ付き蝶番
２１                  袋状物
５１                  スリット部
５２、５３            メインウエイトバー
５４、５５            サブウエイトバー
１４１ａ、１４１ｂ、１４１ｃ      子短尺部材
１９１                バネ
１９２                蝶番軸
【図１】
0003732977.tif 000002
【図２】
0003732977.tif 000003
【図３】
0003732977.tif 000004
【図４】
0003732977.tif 000005
【図５】
0003732977.tif 000006
【図６】
0003732977.tif 000007
【図７】
0003732977.tif 000008
【図８】
0003732977.tif 000009
【図９】
0003732977.tif 000010
【図１０】
0003732977.tif 000011